【事件の表示】
　特願２００１−１７６１２７「平板ディスプレイ装置」拒絶査定不服審判事件〔平成１４年　３月２７日出願公開、特開２００２−　９１３６７〕について、次のとおり審決する。
【結　論】
　本件審判の請求は、成り立たない。
【理　由】
第１　手続の経緯
　本願は、平成１３年６月１１日（パリ条約による優先権主張２０００年７月１８日、韓国）の出願であって、平成２３年７月１９日付けで手続補正がなされ、同年８月１５日付けで拒絶査定がなされ、これに対して、同年１２月２２日付けで拒絶査定不服審判が請求されると同時に手続補正がなされたものである。
　
第２　平成２３年１２月２２日付け手続補正についての補正却下の決定
〔補正却下の決定の結論〕
　平成２３年１２月２２日付け手続補正を却下する。
　
〔理由〕
１　本件補正の内容
（１）平成２３年１２月２２日付け手続補正（以下「本件補正」という。）は、特許請求の範囲についてするものであって、本件補正前の請求項１に、
　
「スキャン信号とコラム信号によって所定画面を表示するディスプレイパネルと；
　前記ディスプレイパネルの縦方向一辺部に電気的および物理的に接続される複数個の第１連結部材に一対一に実装されて前記スキャン信号を提供するスキャンドライブ手段と；
　前記ディスプレイパネルの横方向一辺部に電気的および物理的に接続される複数個の第２連結部材に一対一に実装されて前記コラム信号を提供するコラムドライブ手段と；
　前記第２連結部材と物理的および電気的に接続される印刷回路基板上に実装され，所定個数でグループ化する前記第２連結部材にグループ別に一つずつ対応させて複数設けられ、該当データのタイミングフォーマットを決定すると共に、前記タイミングフォーマットに基づいて前記該当データに対するコントロール信号を生成して前記第２連結部材に供給するタイミングコントローラと；
　所定画像供給源から提供されるデータとコントロール信号を複数の前記タイミングコントローラに分配する分配部と；
を備
えた
　
「スキャン信号とコラム信号によって所定画面を表示するディスプレイパネルと；
　前記ディスプレイパネルの縦方向一辺部に電気的および物理的に接続される複数個の第１連結部材に一対一に実装されて前記スキャン信号を提供するスキャンドライブ手段と；
　前記ディスプレイパネルの横方向一辺部に電気的および物理的に接続される複数個の第２連結部材に一対一に実装されて前記コラム信号を提供するコラムドライブ手段と；
　前記第２連結部材と物理的および電気的に接続される印刷回路基板上に実装され，所定個数でグループ化する前記第２連結部材にグループ別に一つずつ対応させて複数設けられ、該当データのタイミングフォーマットを決定すると共に、前記タイミングフォーマットに基づいて前記該当データに対するコントロール信号を生成して前記第２連結部材に供給するタイミングコントローラと；
　所定画像供給源から提供されるデータとコントロール信号を複数の前記タイミングコントローラに分配する分配部と；
を備え
、
　
前記分配部は、前記データを分配する分配器と、当該分配器から出力されるＴＴＬ方式の信号をＬＶＤＳ、ＲＳＤＳ、又はＴＭＤＳ方式の信号に変換させる信号転送部とを含み、
　
前記タイミングコントローラのそれぞれは、前記信号転送部から入力される信号をＴＴＬ方式の信号に変換させる信号受信部を含む
　ことを特徴とする平板ディスプレイ装置。」とする補正を含むものである（下線は審決で付した。以下同じ。）。
　
（２）本件補正後の請求項１に係る上記（１）の補正は、本件補正前の請求項１に係る発明を特定するために必要な事項である「分配部」及び「複数設けられたタイミングコントローラ」について、前記「分配部」は、「前記データを分配する分配器」と、「当該分配器から出力されるＴＴＬ方式の信号をＬＶＤＳ、ＲＳＤＳ、又はＴＭＤＳ方式の信号に変換させる信号転送部」とを含む点を、前記「タイミングコントローラ」のそれぞれは、「前記信号転送部から入力される信号をＴＴＬ方式の信号に変換させる信号受信部」を含む点を、それぞれ限定するものである。
　
２　本件補正の目的
　本件補正後の請求項１に係る上記１（２）の補正は、本件補正前の請求項１に係る発明を特定するために必要な事項を限定するものであるから、平成１４年法律第２４号改正附則第２条第１項によりなお従前の例によるとされる同法による改正前の特許法第１７条の２第４項第２号に掲げる特許請求の範囲の減縮を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。
　
３　引用例
　原査定の拒絶の理由に引用された「本願の優先日前に頒布された刊行物である特開平９−１７１３７６号公報（以下「引用例」という。）」には、次の事項が図とともに記載されている。
（１）「【０００１】
【発明の属する技術分野】本発明は、液晶ディスプレイに代表される平面ディスプレイの映像制御装置およびこの映像制御装置を備える平面ディスプレイ装置に関する。
【０００２】
【従来の技術】平面ディスプレイのうち液晶ディスプレイは、軽量、薄型、低消費電力の特徴を生かして、パーソナル・コンピュータ、ワードプロセッサあるいはテレビ表示用等の各種表示装置として利用されるようになってきた。
【０００３】従来の液晶ディスプレイは、例えば図６に示すように液晶パネル１００の一端辺１０１に沿って配置される８個のＸ−ＴＣＰ（Tape Carrier Package）７０１，７０２，…，７０８を備える。各Ｘ−ＴＣＰはフレキシブル配線フィルムとこのフレキシブル配線フィルム上に半導体チップとしてマウントされるドライバＩＣとの一体物であり、液晶パネル１００の信号線に映像信号電圧を出力する。尚、図示しないが、複数のＹ−ＴＣＰが走査線に順次走査パルスを出力するために液晶パネルの他の一端辺に沿って配置される。
各Ｙ−ＴＣＰは、フレキシブル配線フィルムとこのフレキシブル配線フィルムに半導体チップとしてマウントされシフトレジスタを主体として構成されるドライバＩＣとの一体物である
【０００４】Ｘ−ＴＣＰ７０１，７０２，…，７０８は互いにカスケード接続されると共に、駆動回路基板の制御部Ｇ／Ａに接続される。この制御部Ｇ／Ａは例えば外部から入力されるシステムクロック信号ＳＣＫに基づいて水平クロック信号ＣＫおよび水平スタート信号ＳＴを発生し、ビデオデータＤＡＴＡに基づいて赤（Ｒ）、緑（Ｇ）、青（Ｂ）の画素データＤ（Ｒ），Ｄ（Ｇ），Ｄ（Ｂ）を発生し、これらを制御信号としてＸ−ＴＣＰ７０１，７０２，…，７０８に供給する。水平クロック信号ＣＫおよび画素データＤ（Ｒ），Ｄ（Ｇ），Ｄ（Ｂ）はＸ−ＴＣＰ７０１，７０２，…，７０８に並列的に供給される。水平スタート信号ＳＴは初段のＸ−ＴＣＰ７０１に供給され、さらにＸ−ＴＣＰ７０１，７０２，…，７０８において順次転送される。各Ｘ−ＴＣＰ７０１，７０２，…，７０８は水平クロック信号ＣＫに応答して水平スタート信号ＳＴを出力する一方でこれを次段にシフトするシフトレジスタと、各水平スタート信号ＳＴの出力タイミングで画素データをサンプリングして映像信号電圧に変換すると共にこの信号電圧を水平スタート信号ＳＴの出力位置に対応する信号線に供給するＤ／Ａ変換器で構成される。
【０００５】
【発明が解決しようとする課題】ところで、最近では、液晶ディスプレイを低消費電力化することが要求されている。公知の技術では、液晶ディスプレイの消費電力が例えば各Ｘ−ＴＣＰのＤ／Ａ変換器を対応信号線の駆動期間を除いて停止させることにより低減される。
【０００６】しかしながら、この技術はこの低消費電力化の要求を十分に満足することができない。本発明は上述した技術課題を解決するために成されたものであって、低消費電力化の要求を満足できる映像制御装置を提供することを目的とする。また、本発明は水平画素数が増大される場合でも高速動作を可能にする映像制御装置を提供することを目的とする。
【０００７】
【課題を解決するための手段】本発明の目的は、一列に並ぶ複数の表示画素で各々構成される複数の水平画素ラインを備える平面ディスプレイの映像制御装置であって、複数の表示画素を複数グループに区分するよう配置されこれら複数グループの表示画素をそれぞれ駆動する複数の駆動部と、各水平画素ラインの走査期間において複数の表示画素にそれぞれ割り当てられる画素データを出力し、これら画素データに対応して複数の表示画素を駆動するよう複数の駆動部を制御する制御部とを備え、制御部は互いに電気的に分離された状態に設定される複数のデータ配線部と、これら複数のデータ配線部により複数の駆動部にそれぞれ接続され、各グループの表示画素に割り当てられる画素データをこれらデータ配線部の対応する１つだけを介して対応駆動部に分配する配給手段を含む映像制御装置により達成される。
【０００８】この映像制御装置では、制御部が複数のデータ配線部および配給部で構成される。これらデータ配線部は互いに電気的に分離された状態に設定され、配給部はこれら複数のデータ配線部により複数の駆動部にそれぞれ接続され、各グループの表示画素に割り当てられる画素データをこれらデータ配線部の対応する１つだけを介して対応駆動部に分配する。各データ配線部の配線長は
従来のように画素データを全ての駆動部に共通に供給するデータ配線部の配線長の
るため、制御部の負荷容量が大幅に減少
従って、制御部の動作を高速化する一方で制御部の消費電力を満足な値まで低減させることが可能
　
（２）「【０００９】
【発明の実施の形態】以下に、本発明の第１実施形態に係る液晶ディスプレイを図面を参照して説明する。この
液晶ディスプレイ１
液晶パネル１００はアレイ基板２００、対向基板３００、およびこれらの間に保持される液晶層で構成される
アレイ基板２００はガラス基板上に６４０×３本の信号線２２０および４８０本の走査線２１０、信号線２２０と走査線２１０とに接続される薄膜トランジスタ２３０（以下、ＴＦＴと略称する。）、これらＴＦＴ２３０にそれぞれ接続される画素電極２４０のマトリクスアレイとを含む
対向基板３００はガラス基板上に形成される対向電極およびカラーフィルタ層を含む
【００１０】この液晶ディスプレイ１は、図１および図２に示すように
液晶パネル１００の一端辺１０１に沿って配置される８個のＸ−ＴＣＰ７０１，７０２，…，７０８
フレキシブル配線フィルムと、このフレキシブル配線フィルム上に半導体チップとしてマウントされるドライバＩＣとの一体物である
映像信号電圧を出力するためにアレイ基板２００の信号線２２０の一端に電気的に接続される２４０個の出力端子７０１ａ，７０２ａ，…，７０８ａと、駆動回路基板４００に接続される入力端子７０１ｂ，７０２ｂ，…，７０８ｂとを含む
Ｘ−ＴＣＰ７０１，７０２，７０３，７０４は第１ドライバグループ７１１を構成し、Ｘ−ＴＣＰ７０５，７０６，７０７，７０８は第２ドライバグループ７２１を構成する。各水平画素ラインのカラー表示画素はドライバグループ７１１および７２１によって第１および第２グループに駆動単位として区分される
走査線２１０に走査パルスをそれぞれ出力する２個のＹ−ＴＣＰが液晶パネル１００の他の一端辺に沿って配置される
【００１１】この液晶パネル１００は、表示領域に対応した開口５０１を含む箱状の金属から成る第１フレーム５００と、樹脂製の枠状体の第２フレーム６００とによって図１に示すように挟持され、互いに対角４点でネジ止めされている。
【００１２】第２フレーム６００は、アクリル樹脂で成形される楔型の導光板８０１と、図示しないが導光板８０１の一端面に近接して配置される管状光源とを保持する。導光板８０１は、図示しないが、液晶パネル１００と相反する側に、管状光源からの光源光を選択的に液晶パネル１００に導く乳白色の印刷パターンを含む。この印刷パターンに換えて、光散乱溝等を一体的に成形しても良い。また、この樹脂製の第２フレーム６００は、一体型、もしくは分割型により構成される。導光板８０１および管状光源はその厚さ方向に重ねて収納され、さらに導光板８０１は収納溝６０５により支持され固定される。また、この第２フレーム６００は、導光板８０１の肉薄側に対応する領域裏面に上述した駆動回路基板４００を保持する。
【００１３】ここで、液晶ディスプレイ１の回路構成を図２を参照してさらに詳細に説明する。液晶ディスプレイ１は、
ドライバグループ７１１および７２１を独立に動作するよう制御するために駆動回路基板４００に配置されるゲートアレイ制御部Ｇ／Ａ
ゲートアレイ制御部Ｇ／Ａは水平クロック信号ＣＫ−Ｌおよび水平スタート信号ＳＴ−Ｌを外部から入力されるシステムクロック信号ＳＣＫに基づいて発生し、第１グループの赤（Ｒ）、緑（Ｇ）、青（Ｂ）表示画素に割り当てられる画素データ列ＤＬ（Ｒ），ＤＬ（Ｇ），およびＤＬ（Ｂ）をビデオデータＤＡＴＡに基づいて発生し、これらを制御信号として第１ドライバグループ７１１に供給すると共に、水平クロック信号ＣＫ−Ｒおよび水平スタート信号ＳＴ−Ｒをシステムクロック信号ＳＣＫに基づいて発生し、第２グループの赤（Ｒ）、緑（Ｇ）、青（Ｂ）表示画素に割り当てられる画素データ列ＤＲ（Ｒ），ＤＲ（Ｇ），およびＤＲ（Ｂ）をビデオデータＤＡＴＡに基づいて発生し、これらを制御信号として第２ドライバグループ７２１に供給する
【００１４】
水平クロック信号ＣＫ−Ｌおよび画素データ列ＤＬ（Ｒ），ＤＬ（Ｇ），ＤＬ（Ｂ）は接続配線ＬＣＫ−Ｌおよび接続配線ＬＤＬ（Ｒ），ＬＤＬ（Ｇ），ＬＤＬ（Ｂ）を介してＸ−ＴＣＰ７０１，７０２，７０３，７０４に並列的に供給される。水平スタート信号ＳＴ−Ｌは接続配線ＬＳＴ−Ｌを介して初段のＸ−ＴＣＰ７０１に供給され、さらにこのＸ−ＴＣＰ７０１，７０２，７０３，７０４において順次転送される。このためＸ−ＴＣＰ７０１，７０２，７０３，７０４はカスケード接続される。各Ｘ−ＴＣＰ７０１，７０２，７０３，７０４は水平クロック信号ＣＫ−Ｌに応答して水平スタート信号ＳＴ−Ｌを出力する一方でこれを次段にシフトするシフトレジスタと、各水平スタート信号ＳＴ−Ｌの出力タイミングで画素データをサンプリングして映像信号電圧に変換すると共にこの映像信号電圧を水平スタート信号ＳＴ−Ｌの出力位置に対応する信号線２２０に供給するＤ／Ａ変換器で構成される
【００１５】
水平クロック信号ＣＫ−Ｒおよび画素データ列ＤＲ（Ｒ），ＤＲ（Ｇ），ＤＲ（Ｂ）は接続配線ＬＣＫ−Ｒおよび接続配線ＬＤＲ（Ｒ），ＬＤＲ（Ｇ），ＬＤＲ（Ｂ）を介してＸ−ＴＣＰ７０５，７０６，７０７，７０８に並列的に供給される。水平スタート信号ＳＴ−Ｒは接続配線ＬＳＴ−Ｒを介してＸ−ＴＣＰ７０５に供給され、さらにＸ−ＴＣＰ７０５，７０６，７０７，７０８において順次転送される。このため、Ｘ−ＴＣＰ７０５，７０６，７０７，７０８はカスケード接続される。各Ｘ−ＴＣＰ７０５，７０６，７０７，７０８は水平クロック信号ＣＫ−Ｒに応答して水平スタート信号ＳＴ−Ｒを出力しシフトするシフトレジスタと、各水平スタート信号ＳＴ−Ｒの出力タイミングで画素データをサンプリングして映像信号電圧に変換すると共にこの映像信号電圧を水平スタート信号ＳＴ−Ｒの出力位置に対応する信号線２２０に供給するＤ／Ａ変換器で構成され
【００１６】
ゲートアレイ制御部Ｇ／Ａは駆動回路基板４００上においてドライバグループ７１１および７２１から等距離にある中央位置付近に配置され、接続配線ＬＤＬ（Ｒ），ＬＤＬ（Ｇ），ＬＤＬ（Ｂ）と、接続配線ＬＤＲ（Ｒ），ＬＤＲ（Ｇ），ＬＤＲ（Ｂ）との配線長は、Ｘ−ＴＣＰ７０１，７０２，…，７０８の合計長Ｌの略１／２程度となるように設定される。さらに、接続配線ＬＤＬ（Ｒ），ＬＤＬ（Ｇ），ＬＤＬ（Ｂ）と、接続配線ＬＤＲ（Ｒ），ＬＤＲ（Ｇ），ＬＤＲ（Ｂ）とは、ゲートアレイ制御部Ｇ／Ａを基準として略対称に配置される。従って、これらの配線長は十分に短く、しかもドライバグループ７１１および７２１の配線容量、配線抵抗、さらにインダクタンスは互いに略等しく形成され
【００１７】また、
接続配線ＬＣＫ−Ｌと接続配線ＬＣＫ−Ｒとは、ゲートアレイ制御部Ｇ／Ａを基準として略対称に配置される。従って、これらの配線長は十分に短く、しかもドライバグループ７１１および７２１の配線容量、配線抵抗、さらにインダクタンスは互いに略等しく形成され
【００１８】この
ゲートアレイ制御部Ｇ／Ａは、
画素データ列ＤＬ（Ｒ），ＤＬ（Ｇ），ＤＬ（Ｂ）、水平スタート信号ＳＴ−Ｌ、水平クロック信号ＣＫ−Ｌの出力動作を１水平走査期間（１Ｈ）の前半で行ない、この出力動作を１水平走査期間（１Ｈ）の後半で停止するよう構成され
また、
画素データ列ＤＲ（Ｒ），ＤＲ（Ｇ），ＤＲ（Ｂ）、水平スタート信号ＳＴ−Ｒ、水平クロック信号ＣＫ−Ｒの出力動作を１水平走査期間（１Ｈ）の前半で停止し、１水平走査期間（１Ｈ）の後半で行なうよう構成され
【００１９】尚、この実施形態では、水平クロック信号ＣＫ−ＬおよびＣＫ−Ｒは、特に周波数が高い信号であって、動作初期の波形と定常状態での波形とが異なる。このため、水平クロック信号ＣＫ−Ｌは各水平走査期間において画素データ列ＤＬ（Ｒ），ＤＬ（Ｇ），ＤＬ（Ｂ）よりも先に送出され始める。画素データ列ＤＬ（Ｒ），ＤＬ（Ｇ），ＤＬ（Ｂ）は水平クロック信号ＣＫ−Ｌが定常状態になってから送出される。同様に、水平クロック信号ＣＫ−Ｒは各水平走査期間において画素データ列ＤＲ（Ｒ），ＤＲ（Ｇ），ＤＲ（Ｂ）よりも先に送出され始める。画素データ列ＤＲ（Ｒ），ＤＲ（Ｇ），ＤＲ（Ｂ）は水平クロック信号ＣＫ−Ｒが定常状態になってから送出される。
【００２０】
以上の構成により、ゲートアレイ制御部Ｇ／Ａから第１ドライバグループ７１１のＸ−ＴＣＰ７０１，７０２，７０３，７０４に画素データ列ＤＬ（Ｒ），ＤＬ（Ｇ），ＤＬ（Ｂ）、水平スタート信号ＳＴ−Ｌ、水平クロック信号ＣＫ−Ｌを含む制御信号を供給するそれぞれの接続配線長、ゲートアレイ制御部Ｇ／Ａから第２ドライバグループ７２１のＸ−ＴＣＰ７０５，７０６，７０７，７０８に画素データ列ＤＲ（Ｒ），ＤＲ（Ｇ），ＤＲ（Ｂ）、水平スタート信号ＳＴ−Ｒ、水平クロック信号ＣＫ−Ｒを含む制御信号を供給するそれぞれの接続配線長のそれぞれが
略１／２に短縮される
【００２１】しかも、第１ドライバグループ７１１と第２ドライバグループ７２１とは、１水平走査期間の異なるタイムスロットにおいて駆動され、少なくとも一方が動作されている期間中、他方のドライバグループへの画素データ列の供給は停止されている。
【００２２】これにより、ゲートアレイ制御部Ｇ／Ａに加わる容量負荷は、図６に示す構成の略１／２に低減でき、よってゲートアレイ制御部Ｇ／Ａの出力バッファで消費される電力を略１／２に低減でき、装置全体の低消費電力化が達成される。この実施形態によれば、２１インチのＸＧＡ仕様の液晶ディスプレイで良好な表示画像が得られた。」
　
（３）「【００３１】図５は本発明の第３実施形態に係る液晶ディスプレイを概略的に示す。この液晶ディスプレイは以下に述べる点を除いて第１または第２実施形態の液晶ディスプレイと同様に構成される。第３実施形態に係る液晶ディスプレイでは、ドライバグループ７１１および７２１の回路がポリシリコンの活性層をベースにしたＴＦＴ２３０を用いてアレイ基板２００上に形成される。第１および第２実施形態と同様に、画素データ列ＤＬ（Ｒ），ＤＬ（Ｇ），ＤＬ（Ｂ）は接続配線ＬＤＬ（Ｒ），ＬＤＬ（Ｇ），ＬＤＬ（Ｂ）を介して第１ドライバグループ７１１に供給され、画素データ列ＤＲ（Ｒ），ＤＲ（Ｇ），ＤＲ（Ｂ）は接続配線ＬＤＲ（Ｒ），ＬＤＲ（Ｇ），ＬＤＲ（Ｂ）を介して第２ドライバグループ７２１に供給される。クロック信号ＣＫ−ＬおよびＣＫ−Ｒは第１実施形態と同様に接続配線ＬＣＫ−ＬおよびＬＣＫ−Ｒをそれぞれ介してドライバグループ７１１および７２１に供給される。水平スタート信号ＳＴは第２実施形態と同様に接続配線ＬＳＴを介してドライバグループ７１１に供給される。この水平スタート信号ＳＴはこのドライバグループ７１１からドライバグループ７２１に１／２水平走査期間の経過後に供給される。
【００３２】接続配線ＬＤＬ（Ｒ），ＬＤＬ（Ｇ），ＬＤＬ（Ｂ）、接続配線ＬＤＲ（Ｒ），ＬＤＲ（Ｇ），ＬＤＲ（Ｂ）、接続配線ＬＣＫ−ＬおよびＬＣＫ−Ｒ並びに接続配線ＬＳＴはアレイ基板２００および駆動回路基板４００間に設けられるフレキシブル配線フィルムおよびアレイ基板２００上に形成される配線パターンとで構成される。
【００３３】この実施形態では、ゲートアレイ制御部Ｇ／Ａは第１および第２ドライバグループ７１１および７２１の中央位置付近に配置され、接続配線ＬＤＬ（Ｒ），ＬＤＬ（Ｇ），ＬＤＬ（Ｂ）および接続配線ＬＤＲ（Ｒ），ＬＤＲ（Ｇ），ＬＤＲ（Ｂ）がこのゲートアレイ制御部Ｇ／Ａに対して対称的に配置される。このため、第１および第２実施形態で述べたような効果が得られる。さらに、第１および第２ドライバグループ７１１および７２１およびこれらの配線パターンはアレイ基板２００の回路コンポーネントとして形成されるため、ドライバＩＣチップの取付工程等を省くことできる。また、第１および第２ドライバグループ７１１および７２１がこれらの配線パターンと共にアレイ基板２００に形成される構造は次のような場合に適している。すなわち、例えばゲートアレイ制御部Ｇ／Ａを第１および第２ドライバグループ７１１および７２１間の中央位置付近以外に配置することが要求される場合、第１および第２ドライバグループ７１１および７２１の内部配線容量および内部配線抵抗を考慮して配線パターンを決定できる。この実施形態においても、液晶ディスプレイの高速動作が確認された。
【００３４】また、本発明は上述の第１から第３実施形態に限定されず、例えば画素データＤ（Ｒ），Ｄ（Ｇ），Ｄ（Ｂ）またはスタート信号ＳＴを共通の接続配線を介して第１および第２ドライバグループ７１１および７２１に供給する一方で、クロック信号ＣＫだけを互いに電気的に分離された２本の接続配線を介して第１および第２ドライバグループ７１１および７２１に供給しても良い。
【００３５】また、上述した実施形態では、いずれも
液晶パネルの信号線に映像信号電圧を出力するドライバグループを、
互いに対向する第１および第２端辺に沿って複数のドライバグループを配置し、これら第１および第２端辺のそれぞれに沿って配置された全てのドライバグループを共通のゲートアレイ制御部Ｇ／Ａにより制御するものであっても構わない
　
（４）「【００３６】
【発明の効果】以上のように、本発明によれば低消費電力化の要求を満足できる映像制御装置を提供できる。また、水平画素数が増大される場合でも高速動作を可能にする映像制御装置を提供できる。」
　
（５）図２から、８個のＸ−ＴＣＰ７０１，７０２，…，７０８が沿って配置されている液晶パネル１００の一端辺１０１は、横方向の辺であり、不図示の２個のＹ−ＴＣＰが沿って配置されている液晶パネル１００の他の一端辺は、走査線２１０と直交する縦方向の辺であることが見て取れる。
　
（６）上記（１）ないし（５）から、引用例には次の発明が記載されているものと認められる。
「ガラス基板上に６４０×３本の信号線２２０および４８０本の走査線２１０、信号線２２０と走査線２１０とに接続される薄膜トランジスタ２３０（以下、ＴＦＴと略称する。）、これらＴＦＴ２３０にそれぞれ接続される画素電極２４０のマトリクスアレイとを含むアレイ基板２００、ガラス基板上に形成される対向電極およびカラーフィルタ層を含む対向基板３００、およびこれらの間に保持される液晶層で構成される液晶パネル１００と、
　駆動回路基板４００と、
　液晶パネル１００の横方向の一端辺１０１に沿って配置され、第１フレキシブル配線フィルムと、この第１フレキシブル配線フィルム上に半導体チップとしてマウントされる第１ドライバＩＣとの一体物であり、映像信号電圧を出力するためにアレイ基板２００の信号線２２０の一端に電気的に接続される２４０個の出力端子７０１ａ，７０２ａ，…，７０８ａと、駆動回路基板４００に接続される入力端子７０１ｂ，７０２ｂ，…，７０８ｂとを含む、８個のＸ−ＴＣＰ７０１，７０２，…，７０８と、
　液晶パネル１００の他の縦方向の一端辺に沿って配置され、第２フレキシブル配線フィルムとこの第２フレキシブル配線フィルムに半導体チップとしてマウントされシフトレジスタを主体として構成される第２ドライバＩＣとの一体物であり、走査線２１０に走査パルスをそれぞれ出力する２個のＹ−ＴＣＰと
　を有する液晶ディスプレイ１において、
　前記Ｘ−ＴＣＰ７０１，７０２，７０３，７０４は第１ドライバグループ７１１を構成し、
　前記Ｘ−ＴＣＰ７０５，７０６，７０７，７０８は第２ドライバグループ７２１を構成し、
　各水平画素ラインのカラー表示画素を第１および第２ドライバグループ７１１および７２１によって第１および第２グループに駆動単位として区分し、
　第１および第２ドライバグループ７１１および７２１を独立に動作するよう制御するために、駆動回路基板４００にゲートアレイ制御部Ｇ／Ａを配置し、外部から入力されるシステムクロック信号ＳＣＫ及びビデオデータＤＡＴＡを該ゲートアレイ制御部Ｇ／Ａに入力し、該ゲートアレイ制御部Ｇ／Ａは、第１水平クロック信号ＣＫ−Ｌおよび第１水平スタート信号ＳＴ−Ｌを前記システムクロック信号ＳＣＫに基づいて発生し、第１グループの赤（Ｒ）、緑（Ｇ）、青（Ｂ）表示画素に割り当てられる第１画素データ列ＤＬ（Ｒ），ＤＬ（Ｇ），およびＤＬ（Ｂ）を前記ビデオデータＤＡＴＡに基づいて発生し、これらを第１制御信号として第１ドライバグループ７１１に供給すると共に、第２水平クロック信号ＣＫ−Ｒおよび第２水平スタート信号ＳＴ−Ｒを前記システムクロック信号ＳＣＫに基づいて発生し、第２グループの赤（Ｒ）、緑（Ｇ）、青（Ｂ）表示画素に割り当てられる第２画素データ列ＤＲ（Ｒ），ＤＲ（Ｇ），およびＤＲ（Ｂ）を前記ビデオデータＤＡＴＡに基づいて発生し、これらを第２制御信号として第２ドライバグループ７２１に供給し、
　第１水平クロック信号ＣＫ−Ｌおよび第１画素データ列ＤＬ（Ｒ），ＤＬ（Ｇ），ＤＬ（Ｂ）は、接続配線ＬＣＫ−Ｌおよび接続配線ＬＤＬ（Ｒ），ＬＤＬ（Ｇ），ＬＤＬ（Ｂ）を介してＸ−ＴＣＰ７０１，７０２，７０３，７０４に並列的に供給されており、
　第１水平スタート信号ＳＴ−Ｌは、接続配線ＬＳＴ−Ｌを介して初段のＸ−ＴＣＰ７０１に供給され、さらにこのＸ−ＴＣＰ７０１，７０２，７０３，７０４において順次転送されるためＸ−ＴＣＰ７０１，７０２，７０３，７０４はカスケード接続されており、
　各Ｘ−ＴＣＰ７０１，７０２，７０３，７０４は、第１水平クロック信号ＣＫ−Ｌに応答して第１水平スタート信号ＳＴ−Ｌを出力する一方でこれを次段にシフトするシフトレジスタと、各第１水平スタート信号ＳＴ−Ｌの出力タイミングで画素データをサンプリングして映像信号電圧に変換すると共にこの映像信号電圧を第１水平スタート信号ＳＴ−Ｌの出力位置に対応する信号線２２０に供給するＤ／Ａ変換器で構成されており、
　第２水平クロック信号ＣＫ−Ｒおよび第２画素データ列ＤＲ（Ｒ），ＤＲ（Ｇ），ＤＲ（Ｂ）は、接続配線ＬＣＫ−Ｒおよび接続配線ＬＤＲ（Ｒ），ＬＤＲ（Ｇ），ＬＤＲ（Ｂ）を介してＸ−ＴＣＰ７０５，７０６，７０７，７０８に並列的に供給されており、
　第２水平スタート信号ＳＴ−Ｒは、接続配線ＬＳＴ−Ｒを介してＸ−ＴＣＰ７０５に供給され、さらにＸ−ＴＣＰ７０５，７０６，７０７，７０８において順次転送されるため、Ｘ−ＴＣＰ７０５，７０６，７０７，７０８はカスケード接続されており、
　各Ｘ−ＴＣＰ７０５，７０６，７０７，７０８は、第２水平クロック信号ＣＫ−Ｒに応答して第２水平スタート信号ＳＴ−Ｒを出力する一方でこれを次段にシフトするシフトレジスタと、各第２水平スタート信号ＳＴ−Ｒの出力タイミングで画素データをサンプリングして映像信号電圧に変換すると共にこの映像信号電圧を第２水平スタート信号ＳＴ−Ｒの出力位置に対応する信号線２２０に供給するＤ／Ａ変換器で構成されており、
　接続配線ＬＣＫ−Ｌと接続配線ＬＣＫ−Ｒとは、ゲートアレイ制御部Ｇ／Ａを基準として略対称に配置されているので、これらの配線長は十分に短く、しかもドライバグループ７１１および７２１の配線容量、配線抵抗、さらにインダクタンスは互いに略等しく形成されており、
　前記ゲートアレイ制御部Ｇ／Ａは、第１画素データ列ＤＬ（Ｒ），ＤＬ（Ｇ），ＤＬ（Ｂ）、第１水平スタート信号ＳＴ−Ｌ、第１水平クロック信号ＣＫ−Ｌの出力動作を、１水平走査期間（１Ｈ）の前半で行ない、１水平走査期間（１Ｈ）の後半では停止するよう、また、第２画素データ列ＤＲ（Ｒ），ＤＲ（Ｇ），ＤＲ（Ｂ）、第２水平スタート信号ＳＴ−Ｒ、第２水平クロック信号ＣＫ−Ｒの出力動作を、１水平走査期間（１Ｈ）の前半では停止し、１水平走査期間（１Ｈ）の後半で行なうよう構成されており、
　前記ゲートアレイ制御部Ｇ／Ａは駆動回路基板４００上において第１および第２ドライバグループ７１１および７２１から等距離にある中央位置付近に配置され、接続配線ＬＤＬ（Ｒ），ＬＤＬ（Ｇ），ＬＤＬ（Ｂ）と、接続配線ＬＤＲ（Ｒ），ＬＤＲ（Ｇ），ＬＤＲ（Ｂ）との配線長は、Ｘ−ＴＣＰ７０１，７０２，…，７０８の合計長Ｌの略１／２程度となるように設定され、さらに、接続配線ＬＤＬ（Ｒ），ＬＤＬ（Ｇ），ＬＤＬ（Ｂ）と、接続配線ＬＤＲ（Ｒ），ＬＤＲ（Ｇ），ＬＤＲ（Ｂ）とは、ゲートアレイ制御部Ｇ／Ａを基準として略対称に配置されるので、これらの配線長は十分に短く、しかも第１および第２ドライバグループ７１１および７２１の配線容量、配線抵抗、さらにインダクタンスは互いに略等しく形成される構成により、ゲートアレイ制御部Ｇ／Ａから第１ドライバグループ７１１のＸ−ＴＣＰ７０１，７０２，７０３，７０４に第１画素データ列ＤＬ（Ｒ），ＤＬ（Ｇ），ＤＬ（Ｂ）、第１水平スタート信号ＳＴ−Ｌ、第１水平クロック信号ＣＫ−Ｌを含む第１制御信号を供給するそれぞれの接続配線長、ゲートアレイ制御部Ｇ／Ａから第２ドライバグループ７２１のＸ−ＴＣＰ７０５，７０６，７０７，７０８に第２画素データ列ＤＲ（Ｒ），ＤＲ（Ｇ），ＤＲ（Ｂ）、第２水平スタート信号ＳＴ−Ｒ、第２水平クロック信号ＣＫ−Ｒを含む第２制御信号を供給するそれぞれの接続配線長のそれぞれが、従来のように画素データを全ての駆動部に共通に供給するデータ配線部の配線長の略１／２に短縮されるため、制御部の負荷容量が大幅に減少して、制御部の動作を高速化する一方で制御部の消費電力を満足な値まで低減させることが可能な液晶ディスプレイ１であって、
　液晶パネル１００の信号線に映像信号電圧を出力するドライバグループを、互いに対向する第１および第２端辺に沿って複数のドライバグループを配置し、これら第１および第２端辺のそれぞれに沿って配置された全てのドライバグループを共通のゲートアレイ制御部Ｇ／Ａにより制御するものであっても構わない液晶ディスプレイ１。」（以下「引用発明」という。）
　
　
４　対比
　本願補正発明と引用発明とを対比する。
（１）引用発明の「走査パルス」、「映像信号電圧」、「液晶パネル１００」、「第２ドライバＩＣ」、「第１ドライバＩＣ」、「第２フレキシブル配線フィルム」、「第１フレキシブル配線フィルム」、「駆動回路基板４００」、「ゲートアレイ制御部Ｇ／Ａの『第１水平クロック信号ＣＫ−Ｌおよび第１水平スタート信号ＳＴ−Ｌを前記システムクロック信号ＳＣＫに基づいて発生し、第１グループの赤（Ｒ）、緑（Ｇ）、青（Ｂ）表示画素に割り当てられる第１画素データ列ＤＬ（Ｒ），ＤＬ（Ｇ），およびＤＬ（Ｂ）を前記ビデオデータＤＡＴＡに基づいて発生し、これらを第１制御信号として第１ドライバグループ７１１に供給する』部分、ゲートアレイ制御部Ｇ／Ａの『第２水平クロック信号ＣＫ−Ｒおよび第２水平スタート信号ＳＴ−Ｒを前記システムクロック信号ＳＣＫに基づいて発生し、第２グループの赤（Ｒ）、緑（Ｇ）、青（Ｂ）表示画素に割り当てられる第２画素データ列ＤＲ（Ｒ），ＤＲ（Ｇ），およびＤＲ（Ｂ）を前記ビデオデータＤＡＴＡに基づいて発生し、これらを第２制御信号として第２ドライバグループ７２１に供給』する部分」、「ドライバグループを構成する」、「ドライバグループ」、「『第１グループの赤（Ｒ）、緑（Ｇ）、青（Ｂ）表示画素に割り当てられる第１画素データ列ＤＬ（Ｒ），ＤＬ（Ｇ），およびＤＬ（Ｂ）』、『第２グループの赤（Ｒ）、緑（Ｇ）、青（Ｂ）表示画素に割り当てられる第２画素データ列ＤＲ（Ｒ），ＤＲ（Ｇ），およびＤＲ（Ｂ）』」、「『第１制御信号』、『第２制御信号』」、「外部から入力されるシステムクロック信号ＳＣＫ及びビデオデータＤＡＴＡ」及び「平板ディスプレイ装置」は、それぞれ、本願補正発明の「スキャン信号」、「コラム信号」、「ディスプレイパネル」、「スキャンドライブ手段」、「コラムドライブ手段」、「第１連結部材」、「第２連結部材」、「印刷回路基板」、「タイミングコントローラ」、「グループ化する」、「グループ」、「該当データ」、「該当データに対するコントロール信号」、「所定画像供給源から提供されるデータとコントロール信号」及び「平板ディスプレイ装置」に相当する。
　
（２）引用発明において、「ディスプレイパネル（液晶パネル１００）」が「スキャン信号（走査パルス）」と「コラム信号（映像信号電圧）」によって所定画面を表示するものであることは当業者に自明であるから、引用発明の「ディスプレイパネル」と本願補正発明の「ディスプレイパネル」とは「スキャン信号とコラム信号によって所定画面を表示する」ものである点で一致する。
　
（３）引用発明の「スキャンドライブ手段（第２ドライバＩＣ）」は、シフトレジスタを主体として構成され、「第１連結部材（第２フレキシブル配線フィルム）」に半導体チップとしてマウントされ、「第１連結部材」との一体物となってＹ−ＴＣＰを構成し、「ディスプレイパネル（液晶パネル１００）」の他の縦方向の一端辺に沿って２個配置され、走査線２１０に「スキャン信号（走査パルス）」をそれぞれ出力するものであるから、本願補正発明の「スキャンドライブ手段」と、「前記ディスプレイパネルの縦方向一辺部に電気的および物理的に接続される複数個の第１連結部材に一対一に実装されて前記スキャン信号を提供する」ものである点で一致するといえる。
　
（４）引用発明の「コラムドライブ手段（第１ドライバＩＣ）」は、「コラム信号（映像信号電圧）」を出力するためにアレイ基板２００の信号線２２０の一端に電気的に接続される２４０個の出力端子７０１ａ，７０２ａ，…，７０８ａと、「印刷回路基板（駆動回路基板４００）」に接続される入力端子７０１ｂ，７０２ｂ，…，７０８ｂとを含み、「第２連結部材（第１フレキシブル配線フィルム）」上に半導体チップとしてマウントされ、「第２連結部材」との一体物となってＸ−ＴＣＰ７０１，７０２，…，７０８を構成し、「ディスプレイパネル（液晶パネル１００）」の横方向の一端辺１０１に沿って８個配置されるものであるから、本願補正発明の「コラムドライブ手段」と、「前記ディスプレイパネルの横方向一辺部に電気的および物理的に接続される複数個の第２連結部材に一対一に実装されて前記コラム信号を提供する」ものである点で一致するといえる。
　
（５）引用発明において、
　第１の「タイミングコントローラ」は、ゲートアレイ制御部Ｇ／Ａの第１水平クロック信号ＣＫ−Ｌおよび第１水平スタート信号ＳＴ−Ｌを「所定画像供給源から提供されるコントロール信号（前記システムクロック信号ＳＣＫ）」に基づいて発生し、「該当データ（第１グループの赤（Ｒ）、緑（Ｇ）、青（Ｂ）表示画素に割り当てられる第１画素データ列ＤＬ（Ｒ），ＤＬ（Ｇ），およびＤＬ（Ｂ））」を「所定画像供給源から提供されるデータ（前記ビデオデータＤＡＴＡ）」に基づいて発生し、これらを「該当データに対するコントロール信号（第１制御信号）」として第１「グループ（ドライバグループ）」７１１に供給する部分であり、
　第２の「タイミングコントローラ」は、ゲートアレイ制御部Ｇ／Ａの第２水平クロック信号ＣＫ−Ｒおよび第２水平スタート信号ＳＴ−Ｒを「所定画像供給源から提供されるコントロール信号」に基づいて発生し、「該当データ（第２グループの赤（Ｒ）、緑（Ｇ）、青（Ｂ）表示画素に割り当てられる第２画素データ列ＤＲ（Ｒ），ＤＲ（Ｇ），およびＤＲ（Ｂ））」を「所定画像供給源から提供されるデータ」に基づいて発生し、これらを「該当データに対するコントロール信号（第２制御信号）」として第２「グループ（ドライバグループ）」７２１に供給するものであり、
　ゲートアレイ制御部Ｇ／Ａは「印刷回路基板（駆動回路基板４００）」に配置されており、
　第１「グループ」７１１は、Ｘ−ＴＣＰ７０１，７０２，７０３，７０４であり、第２「グループ」７２１は、Ｘ−ＴＣＰ７０５，７０６，７０７，７０８であって、
　各Ｘ−ＴＣＰは、「第２連結部材（第１フレキシブル配線フィルム）」と、この「第２連結部材」上に半導体チップとしてマウントされる「コラムドライブ手段（第１ドライバＩＣ）」との一体物であり、アレイ基板２００の信号線２２０の一端に電気的に接続される２４０個の出力端子７０１ａ，７０２ａ，…，７０８ａと、「印刷回路基板」に接続される入力端子７０１ｂ，７０２ｂ，…，７０８ｂとを含むものであるから、
　「印刷回路基板」と「第２連結部材」とは、物理的および電気的に接続されており、
　「タイミングコントローラ」は、２つの「グループ」別に一つずつ対応させて「印刷回路基板」上に２つ実装されており、
　「該当データに対するコントロール信号」を各「グループ」の各Ｘ−ＴＣＰの「コラムドライブ手段」との一体物である「第２連結部材」に供給する際に、該当データのタイミングフォーマットを決定すると共に、前記タイミングフォーマットに基づいて前記該当データに対するコントロール信号を生成することは、当業者に自明の事項であるといえる。
　したがって、引用発明の「タイミングコントローラ」と本願補正発明の「タイミングコントローラ」とは「前記第２連結部材と物理的および電気的に接続される印刷回路基板上に実装され，所定個数でグループ化する前記第２連結部材にグループ別に一つずつ対応させて複数設けられ、該当データのタイミングフォーマットを決定すると共に、前記タイミングフォーマットに基づいて前記該当データに対するコントロール信号を生成して前記第２連結部材に供給する」点で一致するといえる。
　
（６）引用発明において、ゲートアレイ制御部Ｇ／Ａに入力された「所定画像供給源から提供されるデータとコントロール信号（外部から入力されるシステムクロック信号ＳＣＫ及びビデオデータＤＡＴＡ）」は、第１「該当データに対するコントロール信号（制御信号）」及び第２「該当データに対するコントロール信号（制御信号）」として第１ドライバグループ７１１及び第２ドライバグループ７２１にそれぞれ供給されることになっているから、引用発明は、本願補正発明の「所定画像供給源から提供されるデータとコントロール信号を複数の前記タイミングコントローラに分配する分配部」を備えているといえ、かつ、引用発明の該「分配部」は本願補正発明の「前記データを分配する分配器」を含んでいるといえる。
　
（７）上記（１）ないし（６）からみて、本願補正発明と引用発明とは、
「スキャン信号とコラム信号によって所定画面を表示するディスプレイパネルと；
　前記ディスプレイパネルの縦方向一辺部に電気的および物理的に接続される複数個の第１連結部材に一対一に実装されて前記スキャン信号を提供するスキャンドライブ手段と；
　前記ディスプレイパネルの横方向一辺部に電気的および物理的に接続される複数個の第２連結部材に一対一に実装されて前記コラム信号を提供するコラムドライブ手段と；
　前記第２連結部材と物理的および電気的に接続される印刷回路基板上に実装され，所定個数でグループ化する前記第２連結部材にグループ別に一つずつ対応させて複数設けられ、該当データのタイミングフォーマットを決定すると共に、前記タイミングフォーマットに基づいて前記該当データに対するコントロール信号を生成して前記第２連結部材に供給するタイミングコントローラと；
　所定画像供給源から提供されるデータとコントロール信号を複数の前記タイミングコントローラに分配する分配部と；
を備え、
　前記分配部は、前記データを分配する分配器を含む
　平板ディスプレイ装置。」の点で一致し、次の点で相違する。
　
相違点：
　本願補正発明では、前記分配器を含む前記分配部が「当該分配器から出力されるＴＴＬ方式の信号をＬＶＤＳ、ＲＳＤＳ、又はＴＭＤＳ方式の信号に変換させる信号転送部」をさらに含み、前記タイミングコントローラのそれぞれが「前記信号転送部から入力される信号をＴＴＬ方式の信号に変換させる信号受信部」を含むのに対して、引用発明では、「ＴＴＬ方式の信号をＬＶＤＳ、ＲＳＤＳ、又はＴＭＤＳ方式の信号に変換させる信号転送部」も「入力される信号をＴＴＬ方式の信号に変換させる信号受信部」も備えていない点。
　
５　判断
　上記相違点について検討する。
（１）液晶モジュールのような平板ディスプレイ装置において、液晶モジュールの内部に画像信号を伝送する際のＥＭＩ問題を解決する等のために、液晶モジュールの画像信号インターフェースをＬＶＤＳ技術で具現すること、例えば、ＬＶＤＳ転送方式で、コンピュータ本体のトランスミッタから直接あるいは液晶ディスプレイ装置のレシーバーとトランスミッタを有するワンチップＩＣ又は中継基板を介して液晶モジュールの駆動部のレシーバに伝送するようにすることは、本願の優先日前に周知である（以下「周知技術」という。例．特開２０００−１５２１３０号公報（「ワンチップＩＣ」、「複合ドライブＩＣ」、「ドライブＩＣ」、「タイミングコントローラ」に注目されたい。）、特開平１０−２８２９３３号公報（図６の「中継基板２３０」に注目されたい。））。
　
（２）引用発明の液晶ディスプレイ１は、液晶パネル１００の信号線に映像信号電圧を出力するドライバグループを、互いに対向する第１および第２端辺に沿って複数のドライバグループを配置し、これら第１および第２端辺のそれぞれに沿って配置された全てのドライバグループを共通のゲートアレイ制御部Ｇ／Ａにより制御するものであっても構わないものであるところ、このときドライバーグループが合計４つになると、各ドライバーグループの接続配線を、共通の１つのゲートアレイ制御部Ｇ／Ａを基準として略対称に配置することは困難になる。
　しかしながら、「水平クロック信号および水平スタート信号を発生し、グループの表示画素に割り当てられる画素データ列を発生し、これらを制御信号として該当ドライバグループに供給する部分（本願補正発明の「タイミングコントローラ」に相当する部分であり、以下「タイミングコントローラ」という。）」の２つを１組として隣接して配置し、第１および第２端辺のそれぞれに１組ずつ配置して、第１および第２端辺のそれぞれにおいて、１組にして隣接配置した２つの「タイミングコントローラ」を基準として略対称に配置すれば、それぞれの接続配線長が従来のように画素データを全ての駆動部に共通に供給するデータ配線部の配線長の略１／２に短縮することは、引用発明と同様であり当業者に明らかなことである。
　そして、前記駆動回路基板４００にレシーバーとトランスミッタを有するワンチップＩＣを設けるか又は前記駆動回路基板４００をレシーバーとトランスミッタを設けて中継基板とし、コンピュータ本体からのデータを駆動回路基板４００のレシーバーにて一旦ＴＴＬ方式の信号にした信号を「分配器」で分配し、分配された各信号をトランスミッタでＬＶＤＳ方式に変換して第１および第２端辺のそれぞれに配置した２組の「タイミングコントローラ」に伝送し、各「タイミングコントローラ」にレシーバーを設け、該レシーバーで再度ＴＴＬ方式の信号にするようにして、互いに対向する第１および第２端辺に沿って複数のドライバグループを配置しても、それぞれの接続配線長が従来のように画素データを全ての駆動部に共通に供給するデータ配線部の配線長の略１／２に短縮し制御部の負荷容量を大幅に減少し、制御部の動作を高速化する一方で制御部の消費電力を低減させるとともに、ＥＭＩ問題をも解決するようになすことは、当業者が周知技術に基づいて適宜なし得た程度のことである。
　
（３）上記（２）の「トランスミッタ」及び「レシーバー」は、それぞれ、本願補正発明の「信号転送部」及び「信号受信部」に相当するから、上記（２）のようになすことは、引用発明において、上記相違点に係る本願補正発明の構成となすことに相当する。
　したがって、引用発明において、上記相違点に係る本願補正発明の構成となすことは、上記（２）からみて、当業者が周知技術に基づいて適宜なし得た程度のことである。
　
（４）本願補正発明の奏する効果は、当業者が引用発明の奏する効果及び周知技術の奏する効果から予測することができた程度のものである。
　
（５）まとめ
　したがって、本願補正発明は、当業者が引用発明及び周知技術に基づいて容易に発明をすることができたものである。
　本願補正発明は、当業者が引用発明及び周知技術に基づいて容易に発明をすることができたものであるから、特許法第２９条第２項の規定により特許出願の際独立して特許を受けることができないものである。
　
６　小括
　以上のとおり、本願補正発明は、特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１ないし８に係る発明は、平成２３年７月１９日付けで補正された明細書の特許請求の範囲の請求項１ないし８に記載された事項によって特定されるものであるところ、請求項１に係る発明（以下「本願発明」という。）は、平成２３年７月１９日付けで補正された明細書及び図面の記載からみて、上記「第２〔理由〕１（１）」に本件補正前の請求項１として記載したとおりのものと認める。
　
２　引用例
　原査定の拒絶の理由に引用された引用例及びそれらの記載事項は、上記「第２〔理由〕３」に記載したとおりである。
　
３　対比・判断
　本願補正発明は、上記「第２〔理由〕１（２）」のとおり、本願発明の発明特定事項を限定するものである。
　そうすると、本願発明の構成要件をすべて含み、さらに限定を付加したものに相当する本願補正発明が、上記「第２〔理由〕５」に記載したとおり、当業者が引用発明及び周知技術に基づいて容易に発明をすることができたものであるから、本願発明も同様の理由により、当業者が引用発明及び周知技術に基づいて容易に発明をすることができたものである。
　
４　むすび
　本願発明は、以上のとおり、当業者が引用発明及び周知技術に基づいて容易に発明をすることができたものであるから、特許法第２９条第２項の規定により特許を受けることができない。
　よって、結論のとおり審決する。